(57)【特許請求の範囲】
【請求項１】
放送事業者が提供する映像データに特定の広告データが挿入された映像信号と、予め定めた暗号手法を用いて暗号化された当該広告データの挿入位置を表す広告情報信号とを受信して、当該映像信号の記録および再生を行う映像信号記録／再生装置であって、
送信される前記映像信号および前記広告情報信号を受信する受信手段と、
視聴者から指示される所望のチャンネルの映像信号を、前記映像信号から選択する映像信号処理手段と、
視聴者から指示される所望のチャンネルの広告情報信号を前記広告情報信号から選択し、視聴者が広告データ部分を除いた映像データの再生を希望する場合、放送事業者から有償で別途与えられる暗号解読の鍵を用いて、当該選択した広告情報信号に施された暗号を解読する広告情報信号処理手段と、
前記解読された広告情報信号に従って、前記選択された映像信号から広告データ部分を除いた映像データを記録して再生する記録／再生処理手段とを備える、映像信号記録／再生装置。
【請求項２】
放送事業者が提供する映像データに特定の広告データが挿入された映像信号と、予め定めた暗号手法を用いて暗号化された当該広告データの挿入位置を表す広告情報信号とを受信して、当該映像信号の記録および再生を行う映像信号記録／再生装置であって、
送信される前記映像信号および前記広告情報信号を受信する受信手段と、
視聴者から指示される所望のチャンネルの映像信号を、前記映像信号から選択する映像信号処理手段と、
視聴者から指示される所望のチャンネルの広告情報信号を、前記広告情報信号から選択する広告情報信号処理手段と、
前記選択された映像信号および前記選択された広告情報信号を記録し、視聴者が広告データ部分を除いた映像データの再生を希望する場合、放送事業者から有償で別途与えられる暗号解読の鍵を用いて、当該記録した広告情報信号に施された暗号を解読し、当該解読した広告情報信号に従って、当該記録した映像信号から広告データ部分を除いた映像データを再生する記録／再生処理手段とを備える、映像信号記録／再生装置。
【請求項３】
放送事業者が提供する映像データに特定の広告データが挿入された映像信号と、予め定めた暗号手法を用いて暗号化された当該広告データの挿入位置を表す広告情報信号とを受信して、当該映像信号の記録および再生を行う映像信号記録／再生装置であって、
送信される前記映像信号および前記広告情報信号を受信する受信手段と、
視聴者から指示される所望のチャンネルの映像信号を、前記映像信号から選択する映像信号処理手段と、
視聴者から指示される所望のチャンネルの広告情報信号を前記広告情報信号から選択し、視聴者が広告データ部分を除いた映像データの再生を希望する場合、暗号解読の鍵を用いて当該選択した広告情報信号に施された暗号を解読する広告情報信号処理手段と、
前記広告情報信号処理手段において暗号が解読されたことに対する予め定めた課金情報を、放送事業者に通知するアクセス管理手段と、
前記解読された広告情報信号に従って、前記選択された映像信号から広告データ部分を除いた映像データを記録して再生する記録／再生処理手段とを備える、映像信号記録／再生装置。
【請求項４】
放送事業者が提供する映像データに特定の広告データが挿入された映像信号と、予め定めた暗号手法を用いて暗号化された当該広告データの挿入位置を表す広告情報信号とを受信して、当該映像信号の記録および再生を行う映像信号記録／再生装置であって、
送信される前記映像信号および前記広告情報信号を受信する受信手段と、
視聴者から指示される所望のチャンネルの映像信号を、前記映像信号から選択する映像信号処理手段と、
視聴者から指示される所望のチャンネルの広告情報信号を、前記広告情報信号から選択する広告情報信号処理手段と、
前記選択された映像信号および前記選択された広告情報信号を記録し、視聴者が広告データ部分を除いた映像データの再生を希望する場合、暗号解読の鍵を用いて当該記録した広告情報信号に施された暗号を解読し、当該解読した広告情報信号に従って、当該記録した映像信号から広告データ部分を除いた映像データを再生する記録／再生処理手段と、
前記記録／再生処理手段において暗号が解読されたことに対する予め定めた課金情報を、放送事業者に通知するアクセス管理手段とを備える、映像信号記録／再生装置。
【請求項５】
映像信号の提供を行う放送局と、当該放送局が送信する映像信号を受信して記録および再生を行う映像信号記録／再生装置とで構成される映像サービスシステムであって、
前記放送局は、
放送事業者が提供する映像データに特定の広告データを挿入した映像信号を生成する映像信号生成手段と、
前記映像信号生成手段において挿入された前記広告データの挿入位置を表す広告情報信号を生成し、システムで予め定めた暗号手法を用いて当該広告情報信号を暗号化する広告情報信号生成処理手段と、
前記映像信号および前記広告情報信号を、予め定められた方式に従って送信する送信手段とを備え、
前記映像信号記録／再生装置は、
前記送信手段から送信される前記映像信号および前記広告情報信号を受信する受信手段と、
視聴者から指示される所望のチャンネルの映像信号を、前記映像信号から選択する映像信号処理手段と、
視聴者から指示される所望のチャンネルの広告情報信号を前記広告情報信号から選択し、視聴者が広告データ部分を除いた映像データの再生を希望する場合、放送事業者から有償で別途与えられる暗号解読の鍵を用いて、前記放送局において当該選択した広告情報信号に施された暗号を解読する広告情報信号処理手段と、
前記解読された広告情報信号に従って、前記選択された映像信号から広告データ部分を除いた映像データを記録して再生する記録／再生処理手段とを備える、映像サービスシステム。
【請求項６】
映像信号の提供を行う放送局と、当該放送局が送信する映像信号を受信して記録および再生を行う映像信号記録／再生装置とで構成される映像サービスシステムであって、
前記放送局は、
放送事業者が提供する映像データに特定の広告データを挿入した映像信号を生成する映像信号生成手段と、
前記映像信号生成手段において挿入された前記広告データの挿入位置を表す広告情報信号を生成し、システムで予め定めた暗号手法を用いて当該広告情報信号を暗号化する広告情報信号生成処理手段と、
前記映像信号および前記広告情報信号を、予め定められた方式に従って送信する送信手段とを備え、
前記映像信号記録／再生装置は、
前記送信手段から送信される前記映像信号および前記広告情報信号を受信する受信手段と、
視聴者から指示される所望のチャンネルの映像信号を、前記映像信号から選択する映像信号処理手段と、
視聴者から指示される所望のチャンネルの広告情報信号を、前記広告情報信号から選択する広告情報信号処理手段と、
前記選択された映像信号および前記選択された広告情報信号を記録し、視聴者が広告データ部分を除いた映像データの再生を希望する場合、放送事業者から有償で別途与えられる暗号解読の鍵を用いて、前記放送局において当該記録した広告情報信号に施された暗号を解読し、当該解読した広告情報信号に従って、当該記録した映像信号から広告データ部分を除いた映像データを再生する記録／再生処理手段とを備える、映像サービスシステム。
【請求項７】
映像信号の提供を行う放送局と、当該放送局が送信する映像信号を受信して記録および再生を行う映像信号記録／再生装置とで構成される映像サービスシステムであって、
前記放送局は、
放送事業者が提供する映像データに特定の広告データを挿入した映像信号を生成する映像信号生成手段と、
前記映像信号生成手段において挿入された前記広告データの挿入位置を表す広告情報信号を生成し、システムで予め定めた暗号手法を用いて当該広告情報信号を暗号化する広告情報信号生成処理手段と、
前記映像信号および前記広告情報信号を、予め定められた方式に従って送信する送信手段とを備え、
前記映像信号記録／再生装置は、
前記送信手段から送信される前記映像信号および前記広告情報信号を受信する受信手段と、
視聴者から指示される所望のチャンネルの映像信号を、前記映像信号から選択する映像信号処理手段と、
視聴者から指示される所望のチャンネルの広告情報信号を前記広告情報信号から選択し、視聴者が広告データ部分を除いた映像データの再生を希望する場合、暗号解読の鍵を用いて、前記放送局において当該選択した広告情報信号に施された暗号を解読する広告情報信号処理手段と、
前記広告情報信号処理手段において暗号が解読されたことに対する予め定めた課金情報を、前記放送局に通知するアクセス管理手段と、
前記解読された広告情報信号に従って、前記選択された映像信号から広告データ部分を除いた映像データを記録して再生する記録／再生処理手段とを備える、映像サービスシステム。
【請求項８】
映像信号の提供を行う放送局と、当該放送局が送信する映像信号を受信して記録および再生を行う映像信号記録／再生装置とで構成される映像サービスシステムであって、
前記放送局は、
放送事業者が提供する映像データに特定の広告データを挿入した映像信号を生成する映像信号生成手段と、
前記映像信号生成手段において挿入された前記広告データの挿入位置を表す広告情報信号を生成し、システムで予め定めた暗号手法を用いて当該広告情報信号を暗号化する広告情報信号生成処理手段と、
前記映像信号および前記広告情報信号を、予め定められた方式に従って送信する送信手段とを備え、
前記映像信号記録／再生装置は、
前記送信手段から送信される前記映像信号および前記広告情報信号を受信する受信手段と、
視聴者から指示される所望のチャンネルの映像信号を、前記映像信号から選択する映像信号処理手段と、
視聴者から指示される所望のチャンネルの広告情報信号を、前記広告情報信号から選択する広告情報信号処理手段と、
前記選択された映像信号および前記選択された広告情報信号を記録し、視聴者が広告データ部分を除いた映像データの再生を希望する場合、暗号解読の鍵を用いて、前記放送局において当該記録した広告情報信号に施された暗号を解読し、当該解読した広告情報信号に従って、当該記録した映像信号から広告データ部分を除いた映像データを再生する記録／再生処理手段と、
前記記録／再生処理手段において暗号が解読されたことに対する予め定めた課金情報を、前記放送局に通知するアクセス管理手段とを備える、映像サービスシステム。
【発明の詳細な説明】
【０００１】
【発明の属する技術分野】
本発明は、広告放送自動削除機能を有する映像信号記録／再生装置および映像サービスシステムに関し、より特定的には、映像信号に挿入されている広告部分を自動的に削除した記録または再生が可能な装置、および当該装置を用いる映像サービスシステムに関する。
【０００２】
【従来の技術】
周知のように、近年のマルチメディアの進展に伴い、地上波放送以外にも衛星放送やＣＡＴＶ放送等による映像メディアの提供が様々行われている。一般に、これらの衛星放送やＣＡＴＶ放送等による映像メディアの提供を行う事業者は、地上波放送の民放局のように特定の番組スポンサーを持たずに、加入者から徴収する視聴料のみによって事業運営を行っている。
しかし、このような事業形態では、事業運営の資金を加入者から徴収する視聴料のみでまかなうので、加入者個々の金銭的負担が必然的に大きくなる。このため、低料金でのサービス提供を実現することが難しく、また高い料金が加入者獲得の障害となっているという問題がある。
【０００３】
そこで、上記問題を解決しようとする技術として、特開平８−１０７３８９号公報に開示されている技術（以下、従来の技術という）が存在する。この従来の技術は、番組スポンサーのコマーシャル映像（以下、ＣＭと記す）を挿入した映像情報を提供し、このＣＭを視聴するか否かを視聴者側で自由に選択させ、視聴の有無等に基づいて課金量を変化させるというものである。
これにより、上記従来の技術では、視聴時のＣＭの有無、すなわち視聴料の低額／高額について、視聴者が自由に選択できることを可能としている。
【０００４】
【発明が解決しようとする課題】
しかしながら、上記従来の技術では、異なる課金情報を付加したＣＭを映像情報中に挿入しているだけなので、映像情報のどの部分（時間）にＣＭが挿入されているかは、実際にＣＭが始まるまでわからない（事前にはわからない）。このため、所望する映像情報をＣＭ削除して録画したいような場合、視聴者は、その映像情報を最初から最後までリアルタイムで視聴しながらＣＭ部分を自らの手操作で削除しなければならないという問題が生じる。また、ＣＭが入った状態で一旦記録した映像情報をＣＭ無しで自動的に再生することは不可能であり、視聴者は、手動でＣＭを早送りする等の操作がどうしても必要となる。
【０００５】
それ故、本発明の目的は、課金制御を伴いつつ、映像信号に挿入されているＣＭ部分を自動的に削除した記録または再生が可能な映像信号記録／再生装置、および当該装置を用いる映像サービスシステムを提供することである。
【０００６】
【課題を解決するための手段および発明の効果】
第１の発明は、放送事業者が提供する映像データに特定の広告データが挿入された映像信号と、予め定めた暗号手法を用いて暗号化された当該広告データの挿入位置を表す広告情報信号とを受信して、当該映像信号の記録および再生を行う映像信号記録／再生装置であって、
送信される映像信号および広告情報信号を受信する受信手段と、
視聴者から指示される所望のチャンネルの映像信号を、映像信号から選択する映像信号処理手段と、
視聴者から指示される所望のチャンネルの広告情報信号を広告情報信号から選択し、視聴者が広告データ部分を除いた映像データの再生を希望する場合、放送事業者から有償で別途与えられる暗号解読の鍵を用いて、当該選択した広告情報信号に施された暗号を解読する広告情報信号処理手段と、
解読された広告情報信号に従って、選択された映像信号から広告データ部分を除いた映像データを記録して再生する記録／再生処理手段とを備える。
【０００７】
上記のように、第１の発明によれば、視聴者が広告データ部分を除いた映像データの再生を希望する場合、予め有償で入手した鍵を用いて暗号解読した広告情報信号に従って、映像信号から広告データ部分を除いた映像データを記録して再生する。従って、視聴者は、希望する場合には有償で鍵を入手することにより、手動で広告部分を早送りする等の操作を行うことなく、自動的に広告削除された映像データを視聴することができる。また、放送事業者にとっては、放送サービスと同時にコンテンツの販売サービスをも行うことが可能となる。
【０００８】
第２の発明は、放送事業者が提供する映像データに特定の広告データが挿入された映像信号と、予め定めた暗号手法を用いて暗号化された当該広告データの挿入位置を表す広告情報信号とを受信して、当該映像信号の記録および再生を行う映像信号記録／再生装置であって、
送信される映像信号および広告情報信号を受信する受信手段と、
視聴者から指示される所望のチャンネルの映像信号を、映像信号から選択する映像信号処理手段と、
視聴者から指示される所望のチャンネルの広告情報信号を、広告情報信号から選択する広告情報信号処理手段と、
選択された映像信号および選択された広告情報信号を記録し、視聴者が広告データ部分を除いた映像データの再生を希望する場合、放送事業者から有償で別途与えられる暗号解読の鍵を用いて、当該記録した広告情報信号に施された暗号を解読し、当該解読した広告情報信号に従って、当該記録した映像信号から広告データ部分を除いた映像データを再生する記録／再生処理手段とを備える。
【０００９】
上記のように、第２の発明によれば、選択チャンネルの映像信号と広告情報信号とを予め関連付けて記録しておき、視聴者が広告データ部分を除いた映像データの再生を希望する場合、予め有償で入手した鍵を用いて暗号解読した広告情報信号に従って、記録した映像信号から広告データ部分を除いた映像データを再生する。従って、視聴者は、希望する場合には有償で鍵を入手することにより、手動で広告部分を早送りする等の操作を行うことなく、自動的に広告削除された映像データを視聴することができる。
【００１０】
第３の発明は、放送事業者が提供する映像データに特定の広告データが挿入された映像信号と、予め定めた暗号手法を用いて暗号化された当該広告データの挿入位置を表す広告情報信号とを受信して、当該映像信号の記録および再生を行う映像信号記録／再生装置であって、
送信される映像信号および広告情報信号を受信する受信手段と、
視聴者から指示される所望のチャンネルの映像信号を、映像信号から選択する映像信号処理手段と、
視聴者から指示される所望のチャンネルの広告情報信号を広告情報信号から選択し、視聴者が広告データ部分を除いた映像データの再生を希望する場合、暗号解読の鍵を用いて当該選択した広告情報信号に施された暗号を解読する広告情報信号処理手段と、
広告情報信号処理手段において暗号が解読されたことに対する予め定めた課金情報を、放送事業者に通知するアクセス管理手段と、
解読された広告情報信号に従って、選択された映像信号から広告データ部分を除いた映像データを記録して再生する記録／再生処理手段とを備える。
【００１１】
上記のように、第３の発明によれば、視聴者が広告データ部分を除いた映像データの再生を希望する場合、課金を伴う処理によって暗号解読した広告情報信号に従って、映像信号から広告データ部分を除いた映像データを記録して再生する。従って、視聴者は、希望する場合には装置内部で課金処理が行われるため有償で別途鍵を入手しなくても、手動で広告部分を早送りする等の操作を行うことなく、自動的に広告削除された映像データを視聴することができる。また、放送事業者にとっては、放送サービスと同時にコンテンツの販売サービスをも行うことが可能となる。
【００１２】
第４の発明は、放送事業者が提供する映像データに特定の広告データが挿入された映像信号と、予め定めた暗号手法を用いて暗号化された当該広告データの挿入位置を表す広告情報信号とを受信して、当該映像信号の記録および再生を行う映像信号記録／再生装置であって、
送信される映像信号および広告情報信号を受信する受信手段と、
視聴者から指示される所望のチャンネルの映像信号を、映像信号から選択する映像信号処理手段と、
視聴者から指示される所望のチャンネルの広告情報信号を、広告情報信号から選択する広告情報信号処理手段と、
選択された映像信号および選択された広告情報信号を記録し、視聴者が広告データ部分を除いた映像データの再生を希望する場合、暗号解読の鍵を用いて当該記録した広告情報信号に施された暗号を解読し、当該解読した広告情報信号に従って、当該記録した映像信号から広告データ部分を除いた映像データを再生する記録／再生処理手段と、
記録／再生処理手段において暗号が解読されたことに対する予め定めた課金情報を、放送事業者に通知するアクセス管理手段とを備える。
【００１３】
上記のように、第４の発明によれば、選択チャンネルの映像信号と広告情報信号とを予め関連付けて記録しておき、視聴者が広告データ部分を除いた映像データの再生を希望する場合、課金を伴う処理によって暗号解読した広告情報信号に従って、記録した映像信号から広告データ部分を除いた映像データを再生する。従って、視聴者は、希望する場合には装置内部で課金処理が行われるため有償で別途鍵を入手しなくても、手動で広告部分を早送りする等の操作を行うことなく、自動的に広告削除された映像データを視聴することができる。
【００１４】
第５の発明は、映像信号の提供を行う放送局と、当該放送局が送信する映像信号を受信して記録および再生を行う映像信号記録／再生装置とで構成される映像サービスシステムであって、
放送局は、
放送事業者が提供する映像データに特定の広告データを挿入した映像信号を生成する映像信号生成手段と、
映像信号生成手段において挿入された広告データの挿入位置を表す広告情報信号を生成し、システムで予め定めた暗号手法を用いて当該広告情報信号を暗号化する広告情報信号生成処理手段と、
映像信号および広告情報信号を、予め定められた方式に従って送信する送信手段とを備え、
映像信号記録／再生装置は、
送信手段から送信される映像信号および広告情報信号を受信する受信手段と、
視聴者から指示される所望のチャンネルの映像信号を、映像信号から選択する映像信号処理手段と、
視聴者から指示される所望のチャンネルの広告情報信号を広告情報信号から選択し、視聴者が広告データ部分を除いた映像データの再生を希望する場合、放送事業者から有償で別途与えられる暗号解読の鍵を用いて、放送局において当該選択した広告情報信号に施された暗号を解読する広告情報信号処理手段と、
解読された広告情報信号に従って、選択された映像信号から広告データ部分を除いた映像データを記録して再生する記録／再生処理手段とを備える。
【００１５】
第６の発明は、映像信号の提供を行う放送局と、当該放送局が送信する映像信号を受信して記録および再生を行う映像信号記録／再生装置とで構成される映像サービスシステムであって、
放送局は、
放送事業者が提供する映像データに特定の広告データを挿入した映像信号を生成する映像信号生成手段と、
映像信号生成手段において挿入された広告データの挿入位置を表す広告情報信号を生成し、システムで予め定めた暗号手法を用いて当該広告情報信号を暗号化する広告情報信号生成処理手段と、
映像信号および広告情報信号を、予め定められた方式に従って送信する送信手段とを備え、
映像信号記録／再生装置は、
送信手段から送信される映像信号および広告情報信号を受信する受信手段と、
視聴者から指示される所望のチャンネルの映像信号を、映像信号から選択する映像信号処理手段と、
視聴者から指示される所望のチャンネルの広告情報信号を、広告情報信号から選択する広告情報信号処理手段と、
選択された映像信号および選択された広告情報信号を記録し、視聴者が広告データ部分を除いた映像データの再生を希望する場合、放送事業者から有償で別途与えられる暗号解読の鍵を用いて、放送局において当該記録した広告情報信号に施された暗号を解読し、当該解読した広告情報信号に従って、当該記録した映像信号から広告データ部分を除いた映像データを再生する記録／再生処理手段とを備える。
【００１６】
第７の発明は、映像信号の提供を行う放送局と、当該放送局が送信する映像信号を受信して記録および再生を行う映像信号記録／再生装置とで構成される映像サービスシステムであって、
放送局は、
放送事業者が提供する映像データに特定の広告データを挿入した映像信号を生成する映像信号生成手段と、
映像信号生成手段において挿入された広告データの挿入位置を表す広告情報信号を生成し、システムで予め定めた暗号手法を用いて当該広告情報信号を暗号化する広告情報信号生成処理手段と、
映像信号および広告情報信号を、予め定められた方式に従って送信する送信手段とを備え、
映像信号記録／再生装置は、
送信手段から送信される映像信号および広告情報信号を受信する受信手段と、
視聴者から指示される所望のチャンネルの映像信号を、映像信号から選択する映像信号処理手段と、
視聴者から指示される所望のチャンネルの広告情報信号を広告情報信号から選択し、視聴者が広告データ部分を除いた映像データの再生を希望する場合、暗号解読の鍵を用いて、放送局において当該選択した広告情報信号に施された暗号を解読する広告情報信号処理手段と、
広告情報信号処理手段において暗号が解読されたことに対する予め定めた課金情報を、放送局に通知するアクセス管理手段と、
解読された広告情報信号に従って、選択された映像信号から広告データ部分を除いた映像データを記録して再生する記録／再生処理手段とを備える。
【００１７】
第８の発明は、映像信号の提供を行う放送局と、当該放送局が送信する映像信号を受信して記録および再生を行う映像信号記録／再生装置とで構成される映像サービスシステムであって、
放送局は、
放送事業者が提供する映像データに特定の広告データを挿入した映像信号を生成する映像信号生成手段と、
映像信号生成手段において挿入された広告データの挿入位置を表す広告情報信号を生成し、システムで予め定めた暗号手法を用いて当該広告情報信号を暗号化する広告情報信号生成処理手段と、
映像信号および広告情報信号を、予め定められた方式に従って送信する送信手段とを備え、
映像信号記録／再生装置は、
送信手段から送信される映像信号および広告情報信号を受信する受信手段と、
視聴者から指示される所望のチャンネルの映像信号を、映像信号から選択する映像信号処理手段と、
視聴者から指示される所望のチャンネルの広告情報信号を、広告情報信号から選択する広告情報信号処理手段と、
選択された映像信号および選択された広告情報信号を記録し、視聴者が広告データ部分を除いた映像データの再生を希望する場合、暗号解読の鍵を用いて、放送局において当該記録した広告情報信号に施された暗号を解読し、当該解読した広告情報信号に従って、当該記録した映像信号から広告データ部分を除いた映像データを再生する記録／再生処理手段と、
記録／再生処理手段において暗号が解読されたことに対する予め定めた課金情報を、放送局に通知するアクセス管理手段とを備える。
【００１８】
上記のように、第５〜第８の発明は、第１〜第４の発明の映像信号記録／再生装置を用いる映像サービスシステムに関するものである。従って同様に、視聴者は、希望する場合には有償で鍵を入手することにより、手動で広告部分を早送りする等の操作を行うことなく、自動的に広告削除された映像データを視聴することができる。また、放送事業者にとっては、放送サービスと同時にコンテンツの販売サービスをも行うことが可能となる。
【００１９】
【発明の実施の形態】
まず始めに、本発明が提供する映像信号記録／再生装置を用いる映像サービスシステムの概要を説明する。
図１は、本発明の映像信号記録／再生装置を用いる映像サービスシステムの構成の一例を示すブロック図である。図１において、本発明の映像サービスシステムは、映像信号の提供を行うデジタル放送局１と、デジタル放送局１が送信する映像信号を受信して記録／再生を行う映像信号記録／再生装置２とで構成される。なお、図１に示す例では、映像信号がデジタル放送形態で送信される場合を一例に挙げて説明するが、他の形態で送信される場合であってもよい。
図２は、図１のデジタル放送局１が送信する映像信号およびＣＭ情報信号の概念を説明する図である。
【００２０】
まず、デジタル放送局１の構成を説明する。図１を参照して、デジタル放送局１は、映像信号生成部１１と、ＣＭ情報信号生成部１２と、映像信号処理部１３と、ＣＭ情報信号処理部１４と、送信部１５とを備える。
映像信号生成部１１は、放送事業者が提供する映像データに特定のＣＭデータを挿入した映像信号（図２（ａ））を生成する。ＣＭ情報信号生成部１２は、映像信号生成部１１において挿入されたＣＭデータの挿入位置（タイムチャート）を表すＣＭ情報信号（図２（ｂ））を生成する。なお、映像信号が複数のチャンネルで構成される場合には、ＣＭ情報信号生成部１２は、チャンネルごとにＣＭ情報信号を生成する。映像信号処理部１３は、映像信号生成部１１が生成した映像信号を、システムで予め定められたデータ形式の映像信号に符号化する。例えば、ＭＰＥＧ方式のシステムであれば、映像信号処理部１３は、トランスポートストリームへの符号化を行う。ＣＭ情報信号処理部１４は、ＣＭ情報信号生成部１２が生成したＣＭ情報信号を、システムで予め定めた暗号手法を用いて符号化（暗号化）する。送信部１５は、符号化後の映像信号およびＣＭ情報信号を、予め定められた方式に従って送信する。ここで、ＣＭ情報信号を送信する方式としては、周知のデータ放送やＥＰＧ（電子番組ガイド）等が考えられる。
【００２１】
次に、上記デジタル放送局１が送信する映像信号およびＣＭ情報信号を受信して、所望の映像信号を記録／再生する映像信号記録／再生装置２を、各実施形態（２Ａ〜２Ｄ）毎に説明する。
【００２２】
（第１の実施形態）
図３は、本発明の第１の実施形態に係る映像信号記録／再生装置２Ａの構成を示すブロック図である。図３において、第１の実施形態に係る映像信号記録／再生装置２Ａは、受信部２１と、選局部２２と、映像信号処理部２３と、ＣＭ情報信号処理部２４と、記録／再生処理部２５とを備える。
図４は、本発明の第１の実施形態に係る映像信号記録／再生装置２Ａが行う記録／再生処理の動作を示すフローチャートである。
以下、図３および図４を用いて、第１の実施形態に係る映像信号記録／再生装置２Ａが行う記録／再生処理を説明する。
【００２３】
受信部２１は、デジタル放送局１が送信する映像信号およびＣＭ情報信号（放送信号）を受信して、変調等が施されている場合には対応する復調を行った後に、映像信号を映像信号処理部２３へ、ＣＭ情報信号をＣＭ情報信号処理部２４へ出力する（ステップＳ１０１）。
選局部２２は、視聴者から与えられる指示に従って、視聴者が所望するチャンネルを映像信号処理部２３およびＣＭ情報信号処理部２４へ指示する（ステップＳ１０２）。
映像信号処理部２３は、デジタル放送局１において映像信号に施された符号化を復号し、選局部２２から指示される所望のチャンネルの映像信号を選択して記録／再生処理部２５へ出力する（ステップＳ１０３）。
【００２４】
ＣＭ情報信号処理部２４は、選局部２２から指示される所望のチャンネルのＣＭ情報信号を選択する（ステップＳ１０４）。ここで、ＣＭ情報信号処理部２４は、視聴者がＣＭデータ部分を除いた映像データの再生を希望する場合（ステップＳ１０５，Ｙｅｓ）、視聴者から与えられる暗号解読の鍵（以下、ＫＥＹと記す）を用いて、デジタル放送局１において選択チャンネルのＣＭ情報信号に施された暗号を解読し、記録／再生処理部２５へ出力する（ステップＳ１０６）。
このＫＥＹは、放送事業者から有償で提供されるものであり、所望する映像信号をＣＭ削除の形で記録および再生するためには、視聴者は、所望するチャンネルを選択する前（具体的には、後述する記録／再生処理部２５で記録を行う前）に、対応するＣＭ情報信号のＫＥＹを予め入手しておく必要がある。
【００２５】
記録／再生処理部２５は、視聴者がＣＭデータ部分を除いた映像データの再生を希望する場合（ステップＳ１０５，Ｙｅｓ）、映像信号処理部２３が出力する選択チャンネルの映像信号（図２（ａ）を参照）と、ＣＭ情報信号処理部２４が出力する解読後の選択チャンネルのＣＭ情報信号（図２（ｂ）を参照）とを入力し、ＣＭ情報信号に従って映像信号からＣＭデータ部分を除いた映像データを記録する（ステップＳ１０７）。なお、映像データを記録する媒体は、記録／再生処理部２５の内部に有するようにしてもよいし、記録／再生処理部２５と外部で接続されるようにしてもよい。このような処理で記録した映像データは、図５に示すようなデータとなる。そして、記録／再生処理部２５は、この記録した映像データを再生する（ステップＳ１０９）。
一方、記録／再生処理部２５は、視聴者がＣＭデータ部分を除いた映像データの再生を希望しない場合（ステップＳ１０５，Ｎｏ）、映像信号処理部２３が出力する選択チャンネルの映像信号（図２（ａ）を参照）だけを記録する（ステップＳ１０８）。そして、記録／再生処理部２５は、記録した映像信号、すなわちＣＭデータを含んだ映像データを再生する（ステップＳ１０９）。
【００２６】
以上のように、本発明の第１の実施形態に係る映像信号記録／再生装置２Ａによれば、視聴者がＣＭデータ部分を除いた映像データの再生を希望する場合、予め有償で入手したＫＥＹを用いて暗号解読したＣＭ情報信号に従って、映像信号からＣＭデータ部分を除いた映像データを記録して再生する。
従って、視聴者は、希望する場合には有償でＫＥＹを入手することにより、手動でＣＭ部分を早送りする等の操作を行うことなく、自動的にＣＭ削除された映像データを視聴することができる。また、放送事業者にとっては、有償でＣＭのない映像データを提供することになるので、放送サービスと同時にコンテンツの販売サービスをも行うことが可能となる。
【００２７】
（第２の実施形態）
図６は、本発明の第２の実施形態に係る映像信号記録／再生装置２Ｂの構成を示すブロック図である。図６において、第２の実施形態に係る映像信号記録／再生装置２Ｂは、受信部２１と、選局部２２と、映像信号処理部２３と、ＣＭ情報信号処理部３４と、記録／再生処理部３５とを備える。
図７は、本発明の第２の実施形態に係る映像信号記録／再生装置２Ｂが行う記録／再生処理の動作を示すフローチャートである。
以下、図６および図７を用いて、第２の実施形態に係る映像信号記録／再生装置２Ｂが行う記録／再生処理を説明する。
【００２８】
受信部２１は、デジタル放送局１が送信する映像信号およびＣＭ情報信号（放送信号）を受信して、変調等が施されている場合には対応する復調を行った後に、映像信号を映像信号処理部２３へ、ＣＭ情報信号をＣＭ情報信号処理部３４へ出力する（ステップＳ２０１）。
選局部２２は、視聴者から与えられる指示に従って、視聴者が所望するチャンネルを映像信号処理部２３およびＣＭ情報信号処理部３４へ指示する（ステップＳ２０２）。
映像信号処理部２３は、デジタル放送局１において映像信号に施された符号化を復号し、選局部２２から指示される所望のチャンネルの映像信号を選択して記録／再生処理部３５へ出力する（ステップＳ２０３）。
ＣＭ情報信号処理部３４は、選局部２２から指示される所望のチャンネルのＣＭ情報信号を選択して、記録／再生処理部３５へ出力する（ステップＳ２０４）。
【００２９】
記録／再生処理部３５は、映像信号処理部２３が出力する選択チャンネルの映像信号（図２（ａ）を参照）とＣＭ情報信号処理部３４が出力する選択チャンネルのＣＭ情報信号（図２（ｂ）を参照）とを入力し、双方の信号を関連付けて記録する（ステップＳ２０５）。なお、これらの信号を記録する媒体は、記録／再生処理部３５の内部に有するようにしてもよいし、記録／再生処理部３５と外部で接続されるようにしてもよい。
ここで、記録／再生処理部３５は、記録した選択チャンネルの映像信号を再生するにあたり、視聴者がＣＭデータ部分を除いた映像データの再生を希望する場合（ステップＳ２０６，Ｙｅｓ）、視聴者から与えられる暗号解読の鍵（ＫＥＹ）を用いて、デジタル放送局１において選択チャンネルのＣＭ情報信号に施された暗号を解読する（ステップＳ２０７）。
このＫＥＹは、放送事業者から有償で提供されるものであり、所望する映像信号をＣＭ削除の形で再生するためには、視聴者は、選択チャンネルを再生する前に、対応するＣＭ情報信号のＫＥＹを予め入手しておく必要がある。
【００３０】
そして、記録／再生処理部３５は、解読したＣＭ情報信号に従って、映像信号からＣＭデータ部分を除いた映像データを再生する（ステップＳ２０８）。
一方、記録／再生処理部３５は、視聴者がＣＭデータ部分を除いた映像データの再生を希望しない場合（ステップＳ２０６，Ｎｏ）、映像信号処理部２３が出力する選択チャンネルの映像信号（図２（ａ）を参照）をそのまま再生、すなわちＣＭデータを含んだ映像データを再生する（ステップＳ２０９）。
【００３１】
以上のように、本発明の第２の実施形態に係る映像信号記録／再生装置２Ｂによれば、選択チャンネルの映像信号とＣＭ情報信号とを予め関連付けて記録しておき、視聴者がＣＭデータ部分を除いた映像データの再生を希望する場合、予め有償で入手したＫＥＹを用いて暗号解読したＣＭ情報信号に従って、記録した映像信号からＣＭデータ部分を除いた映像データを再生する。
従って、視聴者は、希望する場合には有償でＫＥＹを入手することにより、手動でＣＭ部分を早送りする等の操作を行うことなく、自動的にＣＭ削除された映像データを視聴することができる。
【００３２】
（第３の実施形態）
図８は、本発明の第３の実施形態に係る映像信号記録／再生装置２Ｃの構成を示すブロック図である。図８において、第３の実施形態に係る映像信号記録／再生装置２Ｃは、受信部２１と、選局部２２と、映像信号処理部２３と、ＣＭ情報信号処理部４４と、記録／再生処理部２５と、アクセス管理部４６とを備える。
図９は、本発明の第３の実施形態に係る映像信号記録／再生装置２Ｃが行う記録／再生処理の動作を示すフローチャートである。
以下、図８および図９を用いて、第３の実施形態に係る映像信号記録／再生装置２Ｃが行う記録／再生処理を説明する。
【００３３】
受信部２１は、デジタル放送局１が送信する映像信号およびＣＭ情報信号（放送信号）を受信して、変調等が施されている場合には対応する復調を行った後に、映像信号を映像信号処理部２３へ、ＣＭ情報信号をＣＭ情報信号処理部４４へ出力する（ステップＳ３０１）。
選局部２２は、視聴者から与えられる指示に従って、視聴者が所望するチャンネルを映像信号処理部２３およびＣＭ情報信号処理部４４へ指示する（ステップＳ３０２）。
映像信号処理部２３は、デジタル放送局１において映像信号に施された符号化を復号し、選局部２２から指示される所望のチャンネルの映像信号を選択して記録／再生処理部２５へ出力する（ステップＳ３０３）。
【００３４】
ＣＭ情報信号処理部４４は、選局部２２から指示される所望のチャンネルのＣＭ情報信号を選択する（ステップＳ３０４）。ここで、ＣＭ情報信号処理部４４は、再生指示によって視聴者がＣＭデータ部分を除いた映像データの再生を希望する場合（ステップＳ３０５，Ｙｅｓ）、例えば内蔵する暗号解読の鍵（ＫＥＹ）を用いて、デジタル放送局１において選択チャンネルのＣＭ情報信号に施された暗号を解読し、記録／再生処理部２５へ出力する（ステップＳ３０６）。これと同時に、ＣＭ情報信号処理部４４は、ＣＭ情報信号の暗号を解読した、すなわちＣＭ情報信号が使用された旨を、アクセス管理部４６に伝える。
アクセス管理部４６は、ＣＭ情報信号処理部４４から伝えられる使用内容に基づいて相当する課金量を決定し、予め定めた伝送路を介して放送事業者に通知する（ステップＳ３０７）。
【００３５】
記録／再生処理部２５は、視聴者がＣＭデータ部分を除いた映像データの再生を希望する場合（ステップＳ３０５，Ｙｅｓ）、映像信号処理部２３が出力する選択チャンネルの映像信号（図２（ａ）を参照）と、ＣＭ情報信号処理部４４が出力する解読後の選択チャンネルのＣＭ情報信号（図２（ｂ）を参照）とを入力し、ＣＭ情報信号に従って映像信号からＣＭデータ部分を除いた映像データを記録する（ステップＳ３０８）。なお、映像データを記録する媒体は、記録／再生処理部２５の内部に有するようにしてもよいし、記録／再生処理部２５と外部で接続されるようにしてもよい。このような処理で記録した映像データは、図５に示すようなデータとなる。そして、記録／再生処理部２５は、この記録した映像データを再生する（ステップＳ３１０）。
一方、記録／再生処理部２５は、視聴者がＣＭデータ部分を除いた映像データの再生を希望しない場合（ステップＳ３０５，Ｎｏ）、映像信号処理部２３が出力する選択チャンネルの映像信号（図２（ａ）を参照）だけを記録する（ステップＳ３０９）。そして、記録／再生処理部２５は、記録した映像信号、すなわちＣＭデータを含んだ映像データを再生する（ステップＳ３１０）。
【００３６】
以上のように、本発明の第３の実施形態に係る映像信号記録／再生装置２Ｃによれば、視聴者がＣＭデータ部分を除いた映像データの再生を希望する場合、課金を伴う処理によって暗号解読したＣＭ情報信号に従って、映像信号からＣＭデータ部分を除いた映像データを記録して再生する。
従って、視聴者は、希望する場合には装置内部で課金処理が行われるため有償で別途ＫＥＹを入手しなくても、手動でＣＭ部分を早送りする等の操作を行うことなく、自動的にＣＭ削除された映像データを視聴することができる。また、放送事業者にとっては、放送サービスと同時にコンテンツの販売サービスをも行うことが可能となる。
【００３７】
（第４の実施形態）
図１０は、本発明の第４の実施形態に係る映像信号記録／再生装置２Ｄの構成を示すブロック図である。図１０において、第４の実施形態に係る映像信号記録／再生装置２Ｄは、受信部２１と、選局部２２と、映像信号処理部２３と、ＣＭ情報信号処理部５４と、記録／再生処理部５５と、アクセス管理部５６とを備える。
図１１は、本発明の第４の実施形態に係る映像信号記録／再生装置２Ｄが行う記録／再生処理の動作を示すフローチャートである。
以下、図１０および図１１を用いて、第４の実施形態に係る映像信号記録／再生装置２Ｄが行う記録／再生処理を説明する。
【００３８】
受信部２１は、デジタル放送局１が送信する映像信号およびＣＭ情報信号（放送信号）を受信して、変調等が施されている場合には対応する復調を行った後に、映像信号を映像信号処理部２３へ、ＣＭ情報信号をＣＭ情報信号処理部５４へ出力する（ステップＳ４０１）。
選局部２２は、視聴者から与えられる指示に従って、視聴者が所望するチャンネルを映像信号処理部２３およびＣＭ情報信号処理部５４へ指示する（ステップＳ４０２）。
映像信号処理部２３は、デジタル放送局１において映像信号に施された符号化を復号し、選局部２２から指示される所望のチャンネルの映像信号を選択して記録／再生処理部５５へ出力する（ステップＳ４０３）。
ＣＭ情報信号処理部５４は、選局部２２から指示される所望のチャンネルのＣＭ情報信号を選択して、記録／再生処理部５５へ出力する（ステップＳ４０４）。
【００３９】
記録／再生処理部５５は、映像信号処理部２３が出力する選択チャンネルの映像信号（図２（ａ）を参照）とＣＭ情報信号処理部５４が出力する選択チャンネルのＣＭ情報信号（図２（ｂ）を参照）とを入力し、双方の信号を関連付けて記録する（ステップＳ４０５）。なお、これらの信号を記録する媒体は、記録／再生処理部５５の内部に有するようにしてもよいし、記録／再生処理部５５と外部で接続されるようにしてもよい。
ここで、記録／再生処理部５５は、記録した選択チャンネルの映像信号を再生するにあたり、再生指示によって視聴者がＣＭデータ部分を除いた映像データの再生を希望する場合（ステップＳ４０６，Ｙｅｓ）、例えば内蔵する暗号解読の鍵（ＫＥＹ）を用いて、デジタル放送局１において選択チャンネルのＣＭ情報信号に施された暗号を解読する（ステップＳ４０７）。これと同時に、記録／再生処理部５５は、ＣＭ情報信号の暗号を解読した、すなわちＣＭ情報信号が使用された旨を、アクセス管理部５６に伝える。
アクセス管理部５６は、記録／再生処理部５５から伝えられる使用内容に基づいて相当する課金量を決定し、予め定めた伝送路を介して放送事業者に通知する（ステップＳ４０８）。
【００４０】
そして、記録／再生処理部５５は、解読したＣＭ情報信号に従って、映像信号からＣＭデータ部分を除いた映像データを再生する（ステップＳ４０９）。
一方、記録／再生処理部５５は、視聴者がＣＭデータ部分を除いた映像データの再生を希望しない場合（ステップＳ４０６，Ｎｏ）、映像信号処理部２３が出力する選択チャンネルの映像信号（図２（ａ）を参照）をそのまま再生、すなわちＣＭデータを含んだ映像データを再生する（ステップＳ４１０）。
【００４１】
以上のように、本発明の第４の実施形態に係る映像信号記録／再生装置２Ｄによれば、選択チャンネルの映像信号とＣＭ情報信号とを予め関連付けて記録しておき、視聴者がＣＭデータ部分を除いた映像データの再生を希望する場合、課金を伴う処理によって暗号解読したＣＭ情報信号に従って、記録した映像信号からＣＭデータ部分を除いた映像データを再生する。
従って、視聴者は、希望する場合には装置内部で課金処理が行われるため有償で別途ＫＥＹを入手しなくても、手動でＣＭ部分を早送りする等の操作を行うことなく、自動的にＣＭ削除された映像データを視聴することができる。
【００４２】
なお、上記各実施形態では、ＣＭデータ部分を除いた映像データの再生を行う場合、一旦媒体に記録した後にそれを読み出して再生するように説明した。しかし、ＣＭデータ部分を除いた映像データの再生は、媒体に記録することなくリアルタイムで行うことが可能である。ただしこの場合には、ＣＭデータが挿入されている実際の時間を削除するので、当該時間をブランク画面（ブルーバック）やフリーズ画面（ＣＭ直前の画面の静止画像）で表示すること等の対策を行う必要がある。
【００４３】
また、上記説明では、ＣＭ情報信号が映像信号と共に送信されてくる場合を述べた。しかし、ＣＭ情報信号は、映像信号と共に供給される必要はなく、例えばフロッピーディスクやＣＤ−ＲＯＭ等の可搬型記録媒体によって別途提供されるようにしても構わない（具体例としては、放送番組の情報雑誌に付録するＣＤ−ＲＯＭによって提供される等が考えられる）。
【図面の簡単な説明】
【図１】本発明の映像信号記録／再生装置を用いる映像サービスシステムの構成の一例を示すブロック図である。
【図２】図１のデジタル放送局１が送信する映像信号およびＣＭ情報信号の概念を説明する図である。
【図３】本発明の第１の実施形態に係る映像信号記録／再生装置２Ａの構成を示すブロック図である。
【図４】本発明の第１の実施形態に係る映像信号記録／再生装置２Ａが行う記録／再生処理の動作を示すフローチャートである。
【図５】ＣＭ情報信号に従って映像信号からＣＭデータ部分を除いた映像データを生成する概念を示す図である。
【図６】本発明の第２の実施形態に係る映像信号記録／再生装置２Ｂの構成を示すブロック図である。
【図７】本発明の第２の実施形態に係る映像信号記録／再生装置２Ｂが行う記録／再生処理の動作を示すフローチャートである。
【図８】本発明の第３の実施形態に係る映像信号記録／再生装置２Ｃの構成を示すブロック図である。
【図９】本発明の第３の実施形態に係る映像信号記録／再生装置２Ｃが行う記録／再生処理の動作を示すフローチャートである。
【図１０】本発明の第４の実施形態に係る映像信号記録／再生装置２Ｄの構成を示すブロック図である。
【図１１】本発明の第４の実施形態に係る映像信号記録／再生装置２Ｄが行う記録／再生処理の動作を示すフローチャートである。
【符号の説明】
１…デジタル放送局
２，２Ａ〜２Ｄ…映像信号記録／再生装置
１１…映像信号生成部
１２…ＣＭ情報信号生成部
１３，２３…映像信号処理部
１４，２４，３４，４４，５４…ＣＭ情報信号処理部
１５…送信部
２１…受信部
２２…選局部
２５，３５，５５…記録／再生処理部
４６，５６…アクセス管理部
【図１】
0003591634.tif 000002
【図２】
0003591634.tif 000003
【図３】
0003591634.tif 000004
【図４】
0003591634.tif 000005
【図５】
0003591634.tif 000006
【図６】
0003591634.tif 000007
【図７】
0003591634.tif 000008
【図８】
0003591634.tif 000009
【図９】
0003591634.tif 000010
【図１０】
0003591634.tif 000011
【図１１】
0003591634.tif 000012